(57)【要約】      （修正有）【課題】パーマネントウエーブの施術を容易にして施術に所要される時間を画期的に短縮することができるパーマネントウエーブ用カーラーおよびカーラーセットを提供する。【解決手段】本パーマネントウエーブ用カーラーおよびカーラーセットは、内部に髪の毛収容部１１ａを形成しており、長さ方向に沿って円形断面形状を有するように屈曲しているフラットチューブからなっており、外部の圧力によって弾性変形するカーラー本体１１を含むことを特徴とする。【選択図】図１
0003162262.tif 000002
【実用新案登録請求の範囲】
【請求項１】
パーマネントウエーブ用カーラーであって、
内部に髪の毛収容部を形成しており、長さ方向に沿って円形断面形状を有するように屈曲しているフラットチューブからなっており、外部の圧力によって弾性変形するカーラー本体を含むことを特徴とするパーマネントウエーブ用カーラー。
【請求項２】
前記カーラー本体は、長さ方向に沿って、らせん形状またはねじ形状に屈曲していることを特徴とする、請求項１に記載のパーマネントウエーブ用カーラー。
【請求項３】
前記カーラー本体は、透水性材質からなることを特徴とする、請求項１に記載のパーマネントウエーブ用カーラー。
【請求項４】
前記カーラー本体は、合成樹脂材で織造されることを特徴とする、請求項３に記載のパーマネントウエーブ用カーラー。
【請求項５】
前記カーラー本体の両端開口に設けられるゴム材質の入口部および出口部をさらに含むことを特徴とする、請求項１に記載のパーマネントウエーブ用カーラー。
【請求項６】
パーマネントウエーブ用カーラーと；
被施術者の髪の毛を掛ける係止部を有しており、前記髪の毛収容部に挿入されて前記パーマネントウエーブ用カーラーを弾性変形させる棒形状のカーラージグと；を含むことを特徴とする、請求項１〜５のうちのいずれか一項に記載のパーマネントウエーブ用カーラーセット。
【請求項７】
前記係止部は、
前記カーラー本体の内部に挿入される係止本体と；
前記係止本体の自由端部領域に支持されて被施術者の髪の毛を巻くことができる係止環；を含むことを特徴とする、請求項６に記載のパーマネントウエーブ用カーラーセット。
【請求項８】
前記係止環は、被施術者の髪の毛を加圧支持するように前記係止本体に向かってスライド移動することを特徴とする、請求項７に記載のパーマネントウエーブ用カーラーセット。
【考案の詳細な説明】
【技術分野】
【０００１】
本考案はパーマネントウエーブ用カーラーおよびカーラーセットに関し、より詳しくは、従来の方式を脱皮して新たな方式でパーマネントウエーブを施術することができるパーマネントウエーブ用カーラーおよびカーラーセットに関する。
【０００２】
本出願は、２００９年７月９日に韓国特許庁に提出された実用新案登録出願第２０−２００９−８８８２号の出願日の利益を主張し、その内容のすべては本明細書に含まれる。
【背景技術】
【０００３】
一般的にパーマネントウエーブ（ｐｅｒｍａｎｅｎｔ  ｗａｖｅ）とは、熱または化学薬品の作用によって毛髪組職に変化を与えて長く維持されることができるウエーブを生成する方法をいい、これを簡略にパーマネントまたはパーマともいう。パーマネントウエーブが流行する前には直毛を束ねたりアイロンで一時的なウエーブを生成したりしていたが、パーマネントウエーブが考案されてからは活動的な短髪が流行し、変化のあるヘアスタイルが相次いで開発された。
【０００４】
一般的なパーマネントウエーブの施術過程は次のとおりである。先ず、洗髪後に必要に応じてカットして髪型を整えた後、第１液を毛髪に塗る。一般的に第１液を塗るのには１０〜３０分程度が所要される。第１液を塗布した状態で多様な種類のパーマネントウエーブ用カーラーを用いて髪の毛をパーマネントウエーブ用カーラーに巻いてカールを形成した状態で約３０分〜１時間程度を維持するが、パーマネントウエーブの効果を向上させるために、前記過程において約３０分程度熱を加えた後に再び自然な状態で約３０〜４０分を放置することもできる。前記過程後には第２液を用いて中和した後、パーマネントウエーブ用カーラーを解いて温い水で濯いで乾かした後にセットする。
【０００５】
一方、チオグリコール酸（Ｔｈｉｏｇｌｙｃｏｌｉｃ  Ａｃｉｄ）を主成分とする第１液の適正使用時間は約２０分程度であり、長期間使用する場合に第１液の塩基性が増加して頭皮や毛髪の損傷を招くものとして知られている。
【０００６】
ところが、従来の一般的なパーマネントウエーブ用カーラーを用いて施術する場合には、パーマネントウエーブ用カーラーに髪の毛を巻いてカールを形成する時間およびカールを形成した状態で維持する所要時間などが長い関係上、被施術者が長時間第１液に露出されてパーマネント施術後に頭皮や毛根、毛髪などの損傷が深刻になるという問題点があった。
【０００７】
また、従来の一般的なパーマネントウエーブ用カーラーは、大略円筒形態の本体と、前記本体の両端部に輪ゴムが掛けられるように円周方向に係止溝とを含んで構成される。
【０００８】
このように構成されたパーマネントウエーブ用カーラーは、施術時にパーマネントウエーブ用カーラーの本体外周面に先ず紙材質のパーマ用紙を被せ、このパーマ用紙の外周面に髪の毛の束が絡まるようにした後、輪ゴムで髪の毛を固定させて用いる。
【０００９】
このような従来のパーマネントウエーブ用カーラーの場合、パーマ用紙が紙材質で製作されることによってそれ自身のクッション力（弾性力）を有することができないため、絡められる髪の毛をカーラーに隙間なく密着固定させることができず、したがって施術過程において髪の毛がスリップしたり浮くようになることにより、カールの形状を意図したとおりに均一に成形し難いという問題点がある。
【００１０】
また、髪の毛の隙間ない固定のためにパーマ施術者がパーマネントウエーブ用カーラーを強く引っ張って髪の毛を巻くようになるが、これは施術過程において毛根や頭皮に損傷を与えるという問題点を引き起こすようになる。
【００１１】
さらに、従来の一般的なパーマネントウエーブ用カーラーを用いる場合、パーマネントウエーブの施術に比較的長い時間が所要され、施術の煩わしさは勿論、被施術者が長期間の待機によって疲労および退屈さを感じるという問題点があった。
【考案の概要】
【考案が解決しようとする課題】
【００１２】
上述した従来の問題点を解決するために、本考案は、カールの形状を意図したとおりに均一に成形することができるパーマネントウエーブ用カーラーおよびカーラーセットを提供することを目的とする。
【００１３】
また、本考案は、パーマネントウエーブの施術過程において被施術者の毛根や頭皮に損傷を与えるという問題点を解決することができるパーマネントウエーブ用カーラーおよびカーラーセットを提供することを他の目的とする。
【００１４】
さらに、本考案は、パーマネントウエーブの施術を容易にして施術に所要される時間を画期的に短縮することができるパーマネントウエーブ用カーラーおよびカーラーセットを提供することをさらに他の目的とする。
【課題を解決するための手段】
【００１５】
上述した目的を達成するために本考案は、内部に髪の毛収容部を形成しており、長さ方向に沿って円形断面形状を有するように屈曲しているフラットチューブからなっており、外部の圧力によって弾性変形するカーラー本体を含むことを特徴とするパーマネントウエーブ用カーラーおよびカーラーセットを提供する。
【考案の効果】
【００１６】
本考案は、弾性変形するパーマネントウエーブ用カーラーを備えることにより、カールの形状を意図したとおりに均一に成形することができるという長所を有する。
【００１７】
また、パーマネントウエーブの施術過程において被施術者の髪の毛を無理に引っ張って毛根や頭皮に損傷を与えるという問題点を解決することができる長所を有する。
【００１８】
さらに、パーマネントウエーブの施術を容易にして施術に所要される時間を画期的に短縮することができるという長所も有する。
【図面の簡単な説明】
【００１９】
【図１】本考案の好ましい実施形態によるパーマネントウエーブ用カーラーおよびカーラーセットを示す斜視図である。
【図２】本考案の好ましい実施形態によるパーマネントウエーブ用カーラーおよびカーラーセットを用いてパーマネントウエーブを施術する状態図である。
【図３】本考案の好ましい実施形態によるパーマネントウエーブ用カーラーおよびカーラーセットを用いてパーマネントウエーブを施術する状態図である。
【図４】本考案の好ましい実施形態によるパーマネントウエーブ用カーラーおよびカーラーセットを用いてパーマネントウエーブを施術する状態図である。
【図５】本考案の他の実施形態によるパーマネントウエーブ用カーラーを示す斜視図である。
【考案を実施するための形態】
【００２０】
本考案に係るパーマネントウエーブ用カーラーは、内部に髪の毛収容部を形成しており、長さ方向に沿って円形断面形状を有するように屈曲しているフラットチューブからなっており、外部の圧力によって弾性変形するカーラー本体を含むことを特徴とする。
【００２１】
また、本考案に係るパーマネントウエーブ用カーラーは、前記カーラー本体が長さ方向に沿ってらせん形状またはねじ形状に屈曲していることを特徴とする。
【００２２】
また、本考案に係るパーマネントウエーブ用カーラーは、前記カーラー本体が透水性材質からなることを特徴とする。
【００２３】
また、本考案に係るパーマネントウエーブ用カーラーは、前記カーラー本体が合成樹脂材で織造されてなされることを特徴とする。
【００２４】
また、本考案に係るパーマネントウエーブ用カーラーは、前記カーラー本体の両端開口に設けられるゴム材質の入口部および出口部をさらに含むことを特徴とする。
【００２５】
一方、本考案に係るパーマネントウエーブ用カーラーセットは、上述したパーマネントウエーブ用カーラーのうちのいずれか１つと；被施術者の髪の毛を掛ける係止部を有しており、前記髪の毛収容部に挿入されて前記パーマネントウエーブ用カーラーを弾性変形させる棒形状のカーラージグと；を含むことを特徴とする。
【００２６】
また、本考案に係るパーマネントウエーブ用カーラーセットは、前記係止部が、前記カーラー本体の内部に挿入される係止本体と；前記係止本体の自由端部領域に支持されて被施術者の髪の毛を巻くことができる係止環と；を含むことを特徴とする。
【００２７】
また、本考案に係るパーマネントウエーブ用カーラーセットは、前記係止環が、被施術者の髪の毛を加圧支持するように前記係止本体に向かってスライド移動することを特徴とする。
【００２８】
以下、添付の図面を参照しながら、本考案の好ましい実施形態によるパーマネントウエーブ用カーラー１０およびカーラーセット１について詳しく説明する。しかしながら、下記の実施形態は本考案を例示するためのものに過ぎず、本考案の範囲が後述する実施形態によって限定されるものではない。
【００２９】
図１は、本考案の好ましい実施形態によるパーマネントウエーブ用カーラー１０およびカーラーセット１を示す斜視図である。
本実施形態によるパーマネントウエーブ用カーラーセット１は、図１に示すように、パーマネントウエーブ用カーラー１０と、パーマネントウエーブ用カーラー１０を弾性変形させる棒形状のカーラージグ２０とを含む。
【００３０】
パーマネントウエーブ用カーラー１０は、長さ方向に沿って円形断面形状を有するフラットチューブで設けられるカーラー本体１１を含む。
【００３１】
カーラー本体１１は内部に髪の毛収容部１１ａを形成しており、長さ方向に沿ってらせん形状に屈曲している。平常時にはらせん形状に屈曲しているカーラー本体１１は、外部の圧力によって弾性変形する。ここで、カーラー本体１１に加えられる圧力が解除されれば、カーラー本体１１はらせん形状に弾性復元する。
【００３２】
カーラー本体１１は、水分やパーマネントウエーブに必要な薬品などを透過することができる透水性材質からなる。ここで、カーラー本体１１は合成樹脂材で織造されてなされることが好ましいが、纎維材質からなることもできる。すなわち、カーラー本体１１は、肌理が粗い構造（網構造）からなる。これにより、カーラー本体１１は極めてフレキシブルに形成されており、施術者が強い力を用いずにカーラー本体１１を弾性変形させることができるようになる。また、被施術者の髪の毛３０をパーマネントウエーブ用カーラー１０の内部に収容した後、外部から第１溶液または第２溶液を塗布する場合に、被施術者の髪の毛３０に第１溶液または第２溶液が効率的に伝達されるようになる。さらに、被施術者の髪の毛３０をパーマネントウエーブ用カーラー１０の内部に収容した後に外部から熱を加える場合にも熱が透過するため、被施術者の髪の毛３０に効率的に伝達されるようになる。
【００３３】
しかしながら、カーラー本体１１は、弾性力を有するいかなる材質でも形成されることができる。
【００３４】
カーラー本体１１は長い円筒形状のチューブを、プレスなどを用いて平たいフラットチューブ形状に加圧する工程と、このようなフラットチューブを長さ方向に沿ってらせん形に巻く工程と、らせん形のフラットチューブ形状を維持するように熱処理をする工程とを経て成形される。このようなカーラー本体１１は、別途の外力が作用しない状態では常にらせん形のフラットチューブ形状を維持する。
【００３５】
本実施形態において、カーラー本体１１の形状は多様に形成されることができる。カーラー本体１１のらせんの方向（時計回りまたは半時計回り）、カーラー本体１１の直径、カーラー本体１１の長さなどは、生産者の選択に応じて多様に変更することができる。すなわち、カーラー本体１１のらせんの方向、直径、および長さに応じてパーマネントウエーブの形態および太さなどが変更される。
【００３６】
本実施形態において、カーラー本体１１は一定した直径を有するらせん形で図示して説明したが、これに限定されるものではないことを明らかにしておく。詳しく説明すれば、カーラー本体１１は、入口部１３ａから出口部１３ｂに向かって漸進的に直径が大きくなるらせん形状で形成されることもでき、入口部１３ａから出口部１３ｂに向かって漸進的に直径が小さくなるらせん形状で形成されることもできる。
【００３７】
本考案の好ましい実施形態に係るパーマネントウエーブ用カーラー１０は、カーラー本体１１の両端開口に設けられるゴム材質の入口部１３ａおよび出口部１３ｂをさらに含むことができる。しかしながら、入口部１３ａおよび出口部１３ｂの材質はゴム材質に限定されず、合成樹脂などの多様な材質からなることができる。
【００３８】
入口部１３ａおよび出口部１３ｂは平たい閉ループ形状のゴム材質でなされ、カーラー本体１１の両端開口を囲む。このような入口部１３ａおよび出口部１３ｂは、髪の毛収容部１１ａにカーラージグ２０の挿入を容易にし、カーラージグ２０との頻繁な摩擦によるカーラー本体１１の耐久性を向上させる。
【００３９】
本実施形態においては、カーラー本体１１の両端がすべて外部に露出するらせん形で形成されているため、入口部１３ａおよび出口部１３ｂは機能上または形態上、区分されず同じように設けられる。すなわち、施術者は、カーラージグ２０を入口部１３ａを経て髪の毛収容部１１ａに挿入することもできるし、出口部１３ｂを経て髪の毛収容部１１ａに挿入することもできる。
【００４０】
一方、図５は、本考案の他の実施形態によるパーマネントウエーブ用カーラー１１０を示す斜視図である。本考案の他の実施形態によるパーマネントウエーブ用カーラー１１０のカーラー本体１１１は、長さ方向に沿ってねじ形状で巻かれることもできる。この場合、外部に露出しているカーラー本体１１１の一端部領域に入口部１１３ａが設けられ、内部に巻かれているカーラー本体１１の他端部領域に出口部１１３ｂが設けられる。
【００４１】
カーラージグ２０は棒形状で形成される。カーラージグ２０は入口部１３ａまたは出口部１３ｂを経てカーラー本体１１の髪の毛収容部１１ａに挿入され、パーマネントウエーブ用カーラー１０を弾性変形させる。
【００４２】
カーラージグ２０の一端部には施術者の把持のためのハンドル部２１が設けられており、他端部には係止部２３が設けられている。
【００４３】
係止部２３は、ハンドル部２１から延長する棒形状の係止本体２５と、一領域が開口した環形状で形成されており、係止本体２５の自由端部領域に支持されて被施術者の髪の毛３０を巻くことができる係止環２９とを含む。
【００４４】
係止環２９は、被施術者の髪の毛３０が絡められた状態で被施術者の髪の毛３０を加圧支持するように係止本体２５に向かってスライド移動するように設けられる。ここで、係止本体２５には、係止環２９の移動空間を提供するガイド部２７が形成されている。
【００４５】
本実施形態においては、係止環２９の一領域が開口した環形状で形成されると説明・図示しているが、閉ループ形状のリング形状で形成されてもよい。
【００４６】
本実施形態において、カーラージグ２０は、ハンドル部２１と係止部２３が着脱可能に設けられる。これにより、流通過程または保管上の体積を減らすことができるようになる。
【００４７】
以下、図２〜４を参照しながら、本考案に係るパーマネントウエーブ用カーラー１０およびカーラーセット１を用いてパーマネントウエーブを施術する過程について詳しく説明する。
図２〜図４は、本考案の好ましい実施形態によるパーマネントウエーブ用カーラー１０およびカーラーセット１を用いてパーマネントウエーブを施術する状態図である。
【００４８】
先ず、施術者は被施術者の髪の毛３０に第１溶液を塗布した後、図２に示すように、カーラージグ２０のハンドル部２１を把持して係止部２３をパーマネントウエーブ用カーラー１０の入口部１３ａに挿入する。
【００４９】
次に、施術者はカーラージグ２０をさらに加圧して髪の毛収容部１１ａを通過させた後、出口部１３ｂから引き出す。この過程において、カーラージグ２０の挿入によってカーラー本体１１の弾性力が克服されカーラー本体１１が弾性変形し、図３に示すように広がる。
【００５０】
次に、施術者は、被施術者の髪の毛３０をカーラー本体１１を通過して外部に露出したカーラージグ２０の係止環２９に絡め、係止環２９を係止本体２５方向に加圧して被施術者の髪の毛３０を加圧支持する。
【００５１】
次に、施術者は、被施術者の髪の毛３０が絡められたカーラージグ２０を上述した挿入方向とは反対方向に加圧し、図４に示すように、カーラー本体１１からカーラージグ２０を引き出す。この過程において、被施術者の髪の毛３０はカーラー本体１１の髪の毛収容部１１ａに収容され、カーラー本体１１はカーラージグ２０の引き出しによって弾性力が復元してらせん形状に巻かれる。これにより、被施術者の髪の毛３０を容易にカール（ｃｕｒｌ）できるようになる。
【００５２】
次に、係止環２９を係止本体２５の外側に加圧してスライド移動させ、被施術者の髪の毛３０を係止部２３から分離する。
【００５３】
一方、被施術者の髪の毛３０に第１溶液を塗布した後にカーラージグ２０をパーマネントウエーブ用カーラー１０に挿入すると上述したが、これに限定されるものではなく、被施術者の髪の毛３０をパーマネントウエーブ用カーラー１０に収容させた後にパーマネントウエーブ用カーラー１０の外部に第１溶液を塗布することもできる。
【００５４】
また、被施術者の髪の毛３０全体をパーマネントウエーブ用カーラー１０にすべて収容させた後、一括的にパーマネントウエーブ用カーラー１０の外部に第１溶液を塗布することもできる。
【００５５】
次に、上述した過程を繰り返して施術した後、所定の時間加温し、パーマネントウエーブ用カーラー１０の外部に第２溶液を塗布する。ここで、カーラー本体１１が透水性材質からなっているため、第１溶液および第２溶液が髪の毛に染みこむことができるようになる。
【００５６】
以上で説明したように、本考案によれば、弾性変形するパーマネントウエーブ用カーラー１０を備えることにより、施術過程において被施術者の髪の毛３０がスリップしたり浮いたりすることがなく、カールの形状を意図したとおりに均一に成形することができ、これによってパーマネントウエーブの完成度を高めることができる長所を有する。
【００５７】
また、パーマネントウエーブの施術過程において被施術者の髪の毛３０を無理に引っ張って毛根や頭皮に損傷を与えるという問題点を解決することができる長所を有する。
【００５８】
また、パーマネントウエーブの施術を容易にして施術に所要される時間を画期的に短縮することができるという長所も有する。これにより、第１溶液および第２溶液による被施術者の毛髪、毛根、または頭皮が損傷することを防ぐことができるようになる。
【００５９】
また、施術者が力を加えてカールを形成する従来の方式に比べて短時間内に均一性のあるカールを意図したとおりに成形することができ、パーマネントウエーブの完成度をさらに高めることができるようになる。
【００６０】
以上のように好ましい実施形態によって本考案を詳しく説明したが、本考案はここに記載された実施形態に限定されるものではなく、本技術分野において通常の知識を有する者が本考案の技術的思想および範囲を逸脱せずに多様に修正および変形することができることは自明である。したがって、そのような修正例または変形例は、本考案の請求範囲に属すると言わなければならないであろう。
【符号の説明】
【００６１】
１  ・・・パーマネントウエーブ用カーラーセット
１０  ・・・パーマネントウエーブ用カーラー
１１  ・・・カーラー本体
１１ａ  ・・・髪の毛収容部
１３ａ  ・・・入口部
１３ｂ  ・・・出口部
２０  ・・・カーラージグ
２１  ・・・ハンドル部
２３  ・・・係止部
２５  ・・・係止本体
２７  ・・・ガイド部
２９  ・・・係止環
３０  ・・・被施術者の髪の毛
【図１】
0003162262.tif 000003
【図２】
0003162262.tif 000004
【図３】
0003162262.tif 000005
【図４】
0003162262.tif 000006
【図５】
0003162262.tif 000007